(57)【要約】      （修正有）【課題】洗剤が洗濯水中に残存している条件下で用いても洗剤の影響を受けにくく、繊維製品へ抗菌性を高いレベルで付与することができ、更に、香気の経時劣化を抑制された繊維処理剤組成物を提供する。【解決手段】下記（ａ）〜（ｃ）を配合して、繊維処理剤組成物とする。（ａ）−（ＣＨ２）ｎ−で結合されたジアミン、（ｂ）アミド基、エステル基及び／又はエーテル基で分断されていてもよい、炭素数１０〜２４の炭化水素基を分子内に１つ以上有する、３級アミン、その中和物又はその４級化物、及び（ｃ）一般式（ｃ１）：2014214404.tif 000021で表される化合物。【選択図】なし【特許請求の範囲】
【請求項１】
繊維処理剤組成物であって、
（ａ）一般式（ａ１）：
2014214404.tif 000017
（式中、ｎは２〜６の整数であり、Ｒ1は炭素数８〜１８のアルキル基であり、Ｒ2は水素原子、炭素数８〜１８のアルキル基、又は、（ＣＨ2）mＮＨ2（ｍは２〜６の整数である）である。）で表される化合物、
（ｂ）アミド基、エステル基及び／又はエーテル基で分断されていてもよい、炭素数１０〜２４の炭化水素基を分子内に１つ以上有する、３級アミン、その中和物又はその４級化物、及び
（ｃ）一般式（ｃ１）：
2014214404.tif 000018
（式中、Ｙ1及びＹ2は、それぞれ独立して、下記一般式（ｃ２）：
2014214404.tif 000019
（式中、Ｙ3及びＹ4は、それぞれ独立して−ＣＨ2ＣＯＯＭ1又は−ＰＯ3Ｍ1Ｍ1’で表される基であり、Ｍ1及びＭ1’は、それぞれ独立して水素原子、アルカリ金属、カチオン性アンモニウム基及びアルカノールアミンからなる群より選ばれる。）、
−ＣＨ2ＣＯＯＭ2（Ｍ2は水素原子、アルカリ金属、カチオン性アンモニウム基及びアルカノールアミンからなる群より選ばれる。）又は
−ＰＯ3Ｍ3Ｍ3’（Ｍ3及びＭ3’は、それぞれ独立して水素原子、アルカリ金属、カチオン性アンモニウム基及びアルカノールアミンからなる群より選ばれる。）又は
−ＣＯＯＭ4（Ｍ4は水素原子、アルカリ金属、カチオン性アンモニウム基及びアルカノールアミンからなる群より選ばれる。）
で表される基であり、
Ａ1及びＡ2は、それぞれ独立して、メチル基、スルホ基、アミノ基、水酸基、水素原子又は−ＣＯＯＭ5（Ｍ5は水素原子、アルカリ金属、カチオン性アンモニウム基及びアルカノールアミンからなる群より選ばれる。）であり、
ｍ及びｎは、それぞれ独立して０〜２の整数である。）で表される化合物
を含むことを特徴とする繊維処理剤組成物。
【請求項２】
（ａ）成分が、
一般式（ａ１）中、ｎが３であり、Ｒ1が炭素数１２の直鎖アルキル基であり、Ｒ2が（ＣＨ2）mＮＨ2（ｍは３である）である化合物、及び
一般式（ａ１）中、ｎが３であり、Ｒ1が炭素数１２〜１４の直鎖アルキル基であり、Ｒ2が水素原子である化合物
からなる群より選ばれる、請求項１に記載の繊維処理剤組成物。
【請求項３】
（ｂ）成分が、下記一般式（ｂ−IV）、（ｂ−ｖ）及び（ｂ−VI）：
2014214404.tif 000020
（各式中、Ｒ3は、アミド基、エステル基及び／又はエーテル基で分断されていてもよい、炭素数１０〜２４の炭化水素基であり、１分子中にＲ3が複数存在する場合、各Ｒ3は同一であってもよく、異なっていてもよい。）
で表される化合物及び／又はその４級化物である、請求項１又は２に記載の繊維処理剤組成物。
【請求項４】
（ｃ）成分が、メチルグリシンジ酢酸、エチレンジアミン四酢酸、１−ヒドロキシエタン−１，１−ジホスホン酸及びこれらの塩からなる群より選ばれる、請求項１〜３のいずれかに記載の繊維処理剤組成物。
【請求項５】
更に、（ｄ）糖系化合物を含む、請求項１〜４のいずれかに記載の繊維処理剤組成物。
【請求項６】
（ｄ）成分がトレハロース及びソルビトールからなる群より選ばれる、請求項５に記載の繊維処理剤組成物。
【発明の詳細な説明】
【技術分野】
【０００１】
本発明は繊維処理剤組成物に関する。詳細には、本発明は、洗剤が洗濯水中に残存している条件下で用いても洗剤の影響を受けにくく、優れた抗菌性を繊維製品へ付与することができ、かつ香気の保存安定性に優れた繊維処理剤組成物に関する。
【背景技術】
【０００２】
繊維製品へ柔軟性を与えるために用いられる繊維処理剤組成物について、洗濯後の繊維製品で菌が繁殖して不快臭が発生することを抑制すべく、繊維製品へ抗菌性を付与することのできる繊維処理剤組成物が開発されてきている。抗菌性の付与には、抗菌性付与物質（抗菌性化合物、長鎖アルキルエステルアンモニウム塩や、香料等）が用いられてきている（特許文献１〜４）。
【先行技術文献】
【特許文献】
【０００３】
【特許文献１】特開２００４−２１１２３０号公報
【特許文献２】特開２００７−２５４９０２号公報
【特許文献３】特開２００５−１８７９７３号公報
【特許文献４】特許第４０５５５７４号公報
【発明の概要】
【発明が解決しようとする課題】
【０００４】
近年、環境意識の高まりから、洗濯に使用する水の量が少なくなってきている。一方で洗濯機の大型化により洗濯１回あたりの繊維製品量が増加してきている。これらにより、洗濯時の浴比（水の質量／繊維製品の質量）が低下してきている。その結果、洗浄工程で使用された洗剤がすすぎ工程に持ち込まれてしまうことがある。
アニオン界面活性剤含む洗剤がすすぎ工程に持ち込まれた場合、繊維処理剤組成物に含まれた抗菌性付与物質の繊維製品への吸着量が低下して、抗菌性付与効果が低下してしまうという課題がある。
【課題を解決するための手段】
【０００５】
本発明者らは、上記課題を解決するために鋭意検討した結果、特定種類のアミン化合物とカチオン界面活性剤とキレート化合物とを組み合わせると、低浴比条件下で用いた場合でも、繊維製品へ抗菌性を高いレベルで付与できることを見いだした。更に、本発明者らは、上記の組合せを用いると、繊維処理剤組成物自体の香気の経時劣化を抑制できることを見いだした。本発明はこれらの知見に基づいてなされたものである。すなわち、本発明は下記１〜６に関するものである。
１．繊維処理剤組成物であって、
（ａ）一般式（ａ１）：
2014214404.tif 000002
（式中、ｎは２〜６の整数であり、Ｒ1は炭素数８〜１８のアルキル基であり、Ｒ2は水素原子、炭素数８〜１８のアルキル基、又は、（ＣＨ2）mＮＨ2（ｍは２〜６の整数である）である。）で表される化合物、
（ｂ）アミド基、エステル基及び／又はエーテル基で分断されていてもよい、炭素数１０〜２４の炭化水素基を分子内に１つ以上有する、３級アミン、その中和物又はその４級化物、及び
（ｃ）一般式（ｃ１）：
2014214404.tif 000003
（式中、Ｙ1及びＹ2は、それぞれ独立して、下記一般式（ｃ２）：
2014214404.tif 000004
（式中、Ｙ3及びＹ4は、それぞれ独立して−ＣＨ2ＣＯＯＭ1又は−ＰＯ3Ｍ1Ｍ1’で表される基であり、Ｍ1及びＭ1’は、それぞれ独立して水素原子、アルカリ金属、カチオン性アンモニウム基及びアルカノールアミンからなる群より選ばれる。）、
−ＣＨ2ＣＯＯＭ2（Ｍ2は水素原子、アルカリ金属、カチオン性アンモニウム基及びアルカノールアミンからなる群より選ばれる。）又は
−ＰＯ3Ｍ3Ｍ3’（Ｍ3及びＭ3’は、それぞれ独立して水素原子、アルカリ金属、カチオン性アンモニウム基及びアルカノールアミンからなる群より選ばれる。）又は
−ＣＯＯＭ4（Ｍ4は水素原子、アルカリ金属、カチオン性アンモニウム基及びアルカノールアミンからなる群より選ばれる。）
で表される基であり、
Ａ1及びＡ2は、それぞれ独立して、メチル基、スルホ基、アミノ基、水酸基、水素原子又は−ＣＯＯＭ5（Ｍ5は水素原子、アルカリ金属、カチオン性アンモニウム基及びアルカノールアミンからなる群より選ばれる。）であり、
ｍ及びｎは、それぞれ独立して０〜２の整数である。）で表される化合物
を含むことを特徴とする繊維処理剤組成物。
２．（ａ）成分が、
一般式（ａ１）中、ｎが３であり、Ｒ1が炭素数１２の直鎖アルキル基であり、Ｒ2が（ＣＨ2）mＮＨ2（ｍは３である）である化合物、及び
一般式（ａ１）中、ｎが３であり、Ｒ1が炭素数１２〜１４の直鎖アルキル基であり、Ｒ2が水素原子である化合物
からなる群より選ばれる、前記１に記載の繊維処理剤組成物。
３．（ｂ）成分が、下記一般式（ｂ−IV）、（ｂ−ｖ）及び（ｂ−VI）：
2014214404.tif 000005
（各式中、Ｒ3は、アミド基、エステル基及び／又はエーテル基で分断されていてもよい、炭素数１０〜２４の炭化水素基であり、１分子中にＲ3が複数存在する場合、各Ｒ3は同一であってもよく、異なっていてもよい。）
で表される化合物及び／又はその４級化物である、前記１又は２に記載の繊維処理剤組成物。
４．（ｃ）成分が、メチルグリシンジ酢酸、エチレンジアミン四酢酸、１−ヒドロキシエタン−１，１−ジホスホン酸及びこれらの塩からなる群より選ばれる、前記１〜３のいずれかに記載の繊維処理剤組成物。
５．更に、（ｄ）糖系化合物を含む、前記１〜４のいずれかに記載の繊維処理剤組成物。
６．（ｄ）成分がトレハロース及びソルビトールからなる群より選ばれる、前記５に記載の繊維処理剤組成物。
【発明の効果】
【０００６】
後述の実施例で示されるように、本発明の繊維処理剤組成物は、低浴比条件下で用いた場合でも、繊維製品へ抗菌性を高いレベルで付与することができ、更に、繊維処理剤組成物の香気の経時劣化を抑制することができる。したがって、本発明は従来の繊維処理剤組成物にはない付加価値を有する繊維処理剤組成物として有用である。
【発明を実施するための形態】
【０００７】
（ａ）成分
本発明の繊維処理剤組成物に含まれる（ａ）成分は、主に繊維製品へ抗菌性を付与するために配合される成分である。（ａ）成分は、繊維製品に付着した菌の繁殖を抑制する（抗菌性）ことで、菌の繁殖による不快臭発生を抑制する。
（ａ）成分は、下記一般式（ａ１）：
【０００８】
2014214404.tif 000006
（式中、ｎは２〜６の整数であり、Ｒ1は炭素数８〜１８のアルキル基であり、Ｒ2は水素原子、炭素数８〜１８のアルキル基、又は、（ＣＨ2）mＮＨ2（ｍは２〜６の整数である）である。）
で表されるアミン化合物である。
【０００９】
一般式（ａ１）中、ｎは２〜６の整数である。抗菌性付与効果がより高まる点で、ｎは好ましくは３である。
一般式（ａ１）中、Ｒ1のアルキル基の炭素数は８〜１８である。抗菌性付与効果がより高まる点で、炭素数は好ましくは１０〜１６であり、より好ましくは１２〜１４である。Ｒ1のアルキル基は、直鎖状、分岐鎖状又は環状のいずれであってもよいが、直鎖状又は分岐鎖状であることが好ましい。
一般式（ａ１）中、Ｒ2は水素原子、炭素数８〜１８のアルキル基、又は、（ＣＨ2）mＮＨ2（ｍは２〜６の整数である）である。抗菌性付与効果がより高まる点で、Ｒ2は好ましくは水素原子又は（ＣＨ2）mＮＨ2、より好ましくは（ＣＨ2）mＮＨ2である。
式：（ＣＨ2）mＮＨ2のｍは２〜６の整数である。抗菌性付与効果がより高まる点で、ｍは好ましくは３である。
Ｒ2のアルキル基の炭素数は８〜１８である。抗菌性付与効果がより高まる点で、炭素数は好ましくは１０〜１６であり、より好ましくは１２〜１４である。Ｒ2のアルキル基は、直鎖状、分岐鎖状又は環状のいずれであってもよいが、直鎖状又は分岐鎖状であることが好ましい。
【００１０】
上記のなかでも、抗菌性付与効果が特に高く、かつ、結晶性が低いため保存安定性が良好な点で、一般式（ａ１）中、ｎが３であり、Ｒ1が炭素数１２の直鎖アルキル基であり、Ｒ2が（ＣＨ2）mＮＨ2（ｍは３である）ものが特に好ましい。この特に好ましい化合物は、ライオンアクゾ社製のトリアミンＹ−１２Ｄ（商品名）として市販されている。
【００１１】
（ａ）成分は、市場において容易に入手可能であるか、又は、合成可能である。
【００１２】
（ａ）成分は、１種類を単独で用いてもよく、２種類以上からなる混合物として用いてもよい。
【００１３】
（ａ）成分の配合量は、（ａ）成分の配合効果を得ることができる限り特に制限されないが、繊維製品の抗菌性をより高めることができる点で、繊維処理剤組成物の総質量に対して好ましくは０．０１〜１０質量％、より好ましくは０．１〜８質量％、さらに好ましくは０．５〜５質量％である。０．０１〜１０質量％であると、より高い抗菌性付与効果と繊維処理剤組成物のより高い保存安定性の双方を得ることができる。
【００１４】
（ｂ）成分
本発明の繊維処理剤組成物に含まれる（ｂ）成分は、（ａ）成分の繊維製品への吸着を高め、かつ、繊維製品へ柔軟性（風合い）を付与するために配合される成分である。
（ｂ）成分は「アミド基、エステル基及び／又はエーテル基で分断されていてもよい、炭素数１０〜２４の炭化水素基を分子内に１つ以上有する、３級アミン、その中和物又はその４級化物」であるカチオン界面活性剤である。
【００１５】
（ｂ）成分の３級アミンの「炭素数１０〜２４の炭化水素基（以下、本明細書において「長鎖炭化水素基」ということがある）」の炭素数は、１０〜２４であり、１２〜２２が好ましく、１４〜２０がより好ましい。炭素数が１０以上であると（ｂ）成分の配合効果を充分に得ることができる。炭素数が２４以下であると繊維処理剤組成物のハンドリング性を良好にすることができる。
長鎖炭化水素基は、飽和であっても不飽和であってもよい。長鎖炭化水素基が不飽和である場合、二重結合の位置はいずれの箇所にあっても構わないが、二重結合が１個の場合には、その二重結合の位置は長鎖炭化水素基の中央であるか、中央値を中心に分布していることが好ましい。
長鎖炭化水素基は、鎖状の炭化水素基であっても構造中に環を含む炭化水素基であってもよく、好ましくは鎖状の炭化水素基である。鎖状の炭化水素基は、直鎖状又は分岐鎖状のいずれであってもよい。鎖状の炭化水素基としては、アルキル基またはアルケニル基が好ましく、アルキル基がより好ましい。
長鎖炭化水素基は、アミド基（−ＮＨＣＯ−）、エステル基（−ＣＯＯ−）及び／又はエーテル基（−Ｃ−Ｏ−Ｃ−）で分断されていてもよい。すなわち、長鎖炭化水素基は、その炭素鎖中に、アミド基、エステル基及びエーテル基からなる群から選択される少なくとも１種の分断基を有し、該分断基によって炭素鎖が分断されたものであってもよい。該分断基を有すると、生分解性が向上する等の点から好ましい。特にエステル基は、使用後自然環境中へ廃棄された後の生分解性を（ｂ）成分へ付与することができるので好ましい。
該分断基を有する場合、１つの長鎖炭化水素基が有する分断基の数は１つであっても２つ以上であってもよい。すなわち、長鎖炭化水素基は、分断基によって１ヶ所が分断されていてもよく、２ヶ所以上が分断されていてもよい。分断基を２つ以上有する場合、各分断基の種類は、同じであっても異なっていてもよい。
なお、炭素鎖中に分断基を有する場合、分断基が有する炭素原子は、長鎖炭化水素基の炭素数にカウントするものとする。
長鎖炭化水素基は、通常、工業的に使用される牛脂由来の未水添脂肪酸、不飽和部を水添もしくは部分水添して得られる脂肪酸、パーム椰子や油椰子などの植物由来の未水添脂肪酸もしくは脂肪酸エステル、あるいは不飽和部を水添もしくは部分水添して得られる脂肪酸又は脂肪酸エステル等を使用することにより導入される。
【００１６】
３級アミンの中和に用いる酸としては、塩酸や硫酸等の無機酸や、メチル硫酸等の有機酸が挙げられる。本発明で用いる３級アミンは塩酸、硫酸又はメチル硫酸によって中和されたアミン塩の形で用いることが好ましい。３級アミンの中和は、公知の方法により実施できる。例えば、３級アミンを予め中和したものを水に分散してもよいし、酸水溶液中に３級アミンを液状又は固体状で投入してもよい。もちろん３級アミンと酸成分を同時に投入してもよい。
上記３級アミンの４級化に用いる４級化剤としては塩化メチルやジメチル硫酸が挙げられる。３級アミンの４級化は、公知の方法により実施できる。
【００１７】
（ｂ）成分は、市場において容易に入手可能であるか、又は、合成可能である。例えば、特開２００３−１２４７１号公報の実施例４や、特開２００２−１６７３６６号公報の実施例１に記載の手順に従って合成することができる。
【００１８】
（ｂ）成分は、１種類を単独で用いてもよく、２種類以上からなる混合物として用いてもよい。混合物として用いる場合、炭素数１０〜２４の炭化水素基を分子内に２つ又は３つ有する３級アミンの含量が混合物の質量に対して５０質量％以上であると、柔軟仕上げ処理した繊維製品の柔軟性をより良好にすることができるので好ましい。
【００１９】
（ｂ）成分の具体例として、下記一般式（ｂ−Ｉ）〜（ｂ−VIII）で表される化合物が挙げられる。
2014214404.tif 000007
（（ｂ−Ｉ）〜（ｂ−VIII）の各式中、Ｒ3は、アミド基、エステル基及び／又はエーテル基で分断されていてもよい、炭素数１０〜２４の炭化水素基であり、１分子中にＲ3が複数存在する場合、各Ｒ3は同一であってもよく、異なっていてもよい。）
【００２０】
（ｂ−Ｉ）〜（ｂ−VIII）の各式中のＲ3である炭素数１０〜２４の炭化水素基の炭素数は、１２〜２２が好ましく、１４〜２０がより好ましい。該炭化水素基は、飽和であっても不飽和であってもよい。該炭化水素基としては、アルキル基又はアルケニル基が好ましい。
炭素数１０〜２４の炭化水素基は、炭素数１１〜２５の脂肪酸からカルボキシル基を除くことで誘導することができる。脂肪酸は、飽和脂肪酸、不飽和脂肪酸、直鎖脂肪酸及び分岐脂肪酸のいずれであってもよい。不飽和脂肪酸の場合、シス体とトランス体が存在するが、その質量比率はシス／トランス＝２５／７５〜１００／０が好ましく、４０／６０〜８０／２０が特に好ましい。
Ｒ3のもととなる好ましい脂肪酸としては、例えばステアリン酸、パルミチン酸、ミリスチン酸、ラウリン酸、オレイン酸、エライジン酸、リノール酸、リノレン酸、部分水添パーム油脂肪酸（ヨウ素価１０〜６０）や、部分水添牛脂脂肪酸（ヨウ素価１０〜６０）などが挙げられる。より好ましいのは、ステアリン酸、パルミチン酸、ミリスチン酸、オレイン酸、エライジン酸、リノール酸及びリノレン酸から選ばれる２種以上を所定量ずつ組み合わせて、以下の条件（ａ）〜（ｄ）を満たすように調整した脂肪酸組成物を用いることが好ましい。
（ａ）飽和脂肪酸／不飽和脂肪酸の比率（質量比）が９５／５〜５０／５０である。
（ｂ）シス体／トランス体の比率（質量比）が４０／６０〜８０／２０である。
（ｃ）炭素数１８の脂肪酸が８０質量％以上である。
（ｄ）リノール酸とリノレン酸との合計量が２質量％以下である。
【００２１】
一般式（ｂ−II）及び（ｂ−III）の化合物は、上記脂肪酸組成物又は脂肪酸メチルエステル組成物とメチルジエタノールアミンとの縮合反応により合成することができる。その際、分散安定性を良好にする観点から、（ｂ−III）／（ｂ−II）（質量基準）が９９／１〜５０／５０となる様に合成することが好ましい。
一般式（ｂ−II）及び（ｂ−III）の化合物の４級化物を用いる場合、４級化剤として塩化メチルやジメチル硫酸などを用いることができるが、低分子量であり４級化に必要な質量が少ない点で塩化メチルがより好ましい。その際、分散安定性の観点から、（ｂ−III）の４級化物／（ｂ−II）の４級化物（質量基準）が９９／１〜５０／５０となる様に合成することが好ましい。
一般式（ｂ−II）及び（ｂ−III）の化合物を４級化する場合、一般的に４級化反応後も４級化されていないエステルアミンが残留する。その際、各化合物中のエステル基の加水分解安定性の観点から、４級化物／４級化されていないエステルアミン（質量比）が９９／１〜７０／３０であることが好ましい。
【００２２】
一般式（ｂ−IV）、（ｂ−ｖ）及び（ｂ−VI）の化合物は、上記脂肪酸組成物又は脂肪酸メチルエステル組成物とトリエタノールアミンとの縮合反応により合成することができる。その際、分散安定性を良好にする観点から、[（ｂ−ｖ）＋（ｂ−VI）]／（ｂ−IV）（質量比）が９９／１〜５０／５０となる様に合成することが好ましい。
一般式（ｂ−IV）、（ｂ−ｖ）及び（ｂ−VI）の化合物の４級化物を用いる場合、４級化剤として塩化メチルやジメチル硫酸などを用いることができるが、４級化反応を十分に進行させる点でジメチル硫酸がより好ましい。その際、分散安定性の観点から、[（ｂ−ｖ）の４級化物＋（ｂ−VI）の４級化物]／（ｂ−IV）の４級化物（質量基準）が９９／１〜５０／５０となる様に合成することが好ましい。
一般式（ｂ−IV）、（ｂ−ｖ）及び（ｂ−VI）の化合物を４級化する場合、一般的に４級化反応後も４級化されていないエステルアミンが残留する。その際、各化合物中のエステル基の加水分解安定性の観点から、４級化物／４級化されていないエステルアミン（質量比）が９９／１〜７０／３０であることが好ましい。
【００２３】
一般式（ｂ−VII）及び（ｂ−VIII）の化合物は、上記脂肪酸組成物と、Ｎ−メチルエタノールアミンとアクリロニトリルの付加物より、「Ｊ.Ｏｒｇ.Ｃｈｅｍ.,２６,３４０９（１９６０）」に記載の公知の方法で合成したＮ−（２−ヒドロキシエチル）−Ｎ−メチル−１，３−プロピレンジアミンとの縮合反応により合成することができる。その際、風合い付与効果を良好にする観点から、（ｂ−VIII）／（ｂ−VII）（質量基準）が９９／１〜５０／５０となる様に合成することが好ましい。
一般式（ｂ−VII）及び（ｂ−VIII）の化合物の４級化物を用いる場合、４級化剤として塩化メチルを用いることができる。その際、風合い付与効果を良好にする観点から、（ｂ−VII）／（ｂ−VIII）（質量基準）が９９／１〜５０／５０となる様に合成することが好ましい。
一般式（ｂ−VII）及び（ｂ−VIII）の化合物を４級化する場合、一般的に４級化反応後も４級化されていないエステルアミンが残留する。その際、各化合物中のエステル基の加水分解安定性の観点から、４級化物／４級化されていないエステルアミン（質量基準）が９９／１〜７０／３０であることが好ましい。
【００２４】
（ｂ）成分としては、一般式（ｂ−IV）、（ｂ−ｖ）及び（ｂ−VI）の化合物又はその４級化物がより好ましい。前記した通り、一般式（ｂ−IV）、（ｂ−ｖ）及び（ｂ−VI）の化合物は上記脂肪酸組成物、または脂肪酸メチルエステル組成物とトリエタノールアミンとの縮合反応により合成することができる。その際、（ｂ−IV）、（ｂ−ｖ）及び（ｂ−VI）の合計質量に対する個々の成分の含有比率は、柔軟性の観点から、（ｂ−IV）が５〜９８質量％、（ｂ−ｖ）が１〜６０質量％、（ｂ−VI）が０．１〜４０質量％であることが好ましく、（ｂ−IV）が１０〜５５質量％、（ｂ−ｖ）が３０〜６０質量％、（ｂ−VI）が５〜３５質量％であることが更に好ましい。
一般式（ｂ−IV）、（ｂ−ｖ）及び（ｂ−VI）の化合物又はその４級化物は、例えば特開２００３−１２４７１号公報の実施例４に記載の手順に従って合成することができる。
【００２５】
（ｂ）成分の配合量は、（ｂ）成分の配合効果を得ることができる限り特に制限されないが、（ｂ）成分の配合効果をより高めることができる点で、繊維処理剤組成物の総質量に対して好ましくは１〜４０質量％、より好ましくは２〜３５質量％、さらに好ましくは３〜２５質量％である。１質量％以上であると（ａ）成分の繊維製品への吸着をより高め、かつ、繊維製品へ高い柔軟性を付与することができる。４０質量％以下であると、繊維処理剤組成物の液粘度上昇を抑えて、ハンドリング性を良好にすることができる。
【００２６】
（ｃ）成分
本発明の繊維処理剤組成物に含まれる（ｃ）成分は、（ａ）成分の配合に伴う繊維処理剤組成物自体の香気の経時劣化を抑制するために配合される成分である。
（ｃ）成分は、下記一般式（ｃ１）：
【００２７】
2014214404.tif 000008
（式中、Ｙ1及びＹ2は、それぞれ独立して、下記一般式（ｃ２）：
【００２８】
2014214404.tif 000009
（式中、Ｙ3及びＹ4は、それぞれ独立して−ＣＨ2ＣＯＯＭ1又は−ＰＯ3Ｍ1Ｍ1’で表される基であり、Ｍ1及びＭ1’は、それぞれ独立して水素原子、アルカリ金属、カチオン性アンモニウム基及びアルカノールアミンからなる群より選ばれる。）、
−ＣＨ2ＣＯＯＭ2（Ｍ2は水素原子、アルカリ金属、カチオン性アンモニウム基及びアルカノールアミンからなる群より選ばれる。）又は
−ＰＯ3Ｍ3Ｍ3’（Ｍ3及びＭ3’は、それぞれ独立して水素原子、アルカリ金属、カチオン性アンモニウム基及びアルカノールアミンからなる群より選ばれる。）または
−ＣＯＯＭ4（Ｍ4は水素原子、アルカリ金属、カチオン性アンモニウム基及びアルカノールアミンからなる群より選ばれる。）で表される基であり、
Ａ1及びＡ2は、それぞれ独立して、メチル基、スルホ基、アミノ基、水酸基、水素原子又は−ＣＯＯＭ5（Ｍ5は水素原子、アルカリ金属、カチオン性アンモニウム基及びアルカノールアミンからなる群より選ばれる。）であり、
ｍ及びｎは、それぞれ独立して０〜２の整数である。）で表されるキレート化合物である。
【００２９】
一般式（ｃ１）中、Ｙ1及びＹ2は、それぞれ独立して、式（ｃ２）：−ＮＹ3Ｙ4、−ＣＨ2ＣＯＯＭ2、−ＰＯ3Ｍ3Ｍ3’又は−ＣＯＯＭ4で表される基である。
一般式（ｃ１）中、Ａ1及びＡ2は、それぞれ独立して、メチル基、スルホ基、アミノ基、水酸基、水素原子又は−ＣＯＯＭ5である。
Ａ1及びＡ2としては、メチル基、水酸基、水素原子及び−ＣＯＯＭ5が好ましく、メチル基、水酸基及び水素原子がより好ましく、メチル基及び水酸基が特に好ましい。
一般式（ｃ１）及び（ｃ２）中、Ｍ1、Ｍ1’、Ｍ2、Ｍ3、Ｍ3’、Ｍ4及びＭ5は、それぞれ独立して、水素原子、アルカリ金属、カチオン性アンモニウム基及びアルカノールアミンからなる群より選ばれる基である。アルカリ金属としては、ナトリウムやカリウムが挙げられ、ナトリウムが好ましい。カチオン性アンモニウム基とは−ＮＨ4+で表される基である。
アルカノールアミンとしては、モノエタノールアミン、ジエタノールアミン及びトリエタノールアミンが好ましい。
一般式（ｃ１）中、ｍ及びｎは、それぞれ独立して０〜２の整数である。
【００３０】
（ｃ）成分は、市場において容易に入手可能であるか、又は、合成可能である。
【００３１】
（ｃ）成分は、１種類を単独で用いてもよく、２種類以上からなる混合物として用いてもよい。
【００３２】
（ｃ）成分の好ましい具体例としては、メチルグリシンジ酢酸（MGDA）、エチレンジアミン四酢酸（EDTA）、アスパラギン酸ジ酢酸（ASDA）、１−ヒドロキシエタン−１，１−ジホスホン酸（HEDP）、イソセリンジ酢酸（ＩＳＤＡ）、β−アラニンジ酢酸（ＡＤＡＡ）、セリンジ酢酸（ＳＤＡ）、グルタミン酸ジ酢酸（ＧＬＤＡ）や、これらの塩が挙げられる。これらの中では、香気劣化抑制効果に優れる点で、下記式：
2014214404.tif 000010
で表されるメチルグリシンジ酢酸又はその塩（例えば、ナトリウム塩）が好ましい。メチルグリシンジ酢酸は、一般式（ｃ１）において、Ｙ1が式（ｃ２）（式中、Ｙ3及びＹ4は−ＣＨ2ＣＯＯＭ1（式中、Ｍ1は水素原子）、ｍが０、Ａ1がメチル基、Ａ2が水素原子、Ｙ2が−ＣＯＯＭ4（式中、Ｍ4は水素原子）、ｎが０である化合物である。
また、上記の香気劣化抑制効果に加え、（ａ）成分と（ｂ）成分の配合に伴う繊維処理剤組成物自体の変色を抑制することができる点で、エチレンジアミン四酢酸、１−ヒドロキシエタン−１，１−ジホスホン酸又はこれらの塩が好ましい。
エチレンジアミン四酢酸は、下記式：
2014214404.tif 000011
で表される、一般式（ｃ１）において、Ｙ1が（ｃ２）（式中、Ｙ3及びＹ4は−ＣＨ2ＣＯＯＭ1（式中、Ｍ1は水素原子））、Ｙ2が（ｃ２）（式中、Ｙ3及びＹ4は−ＣＨ2ＣＯＯＭ1（式中、Ｍ1は水素原子））、ｍが１、Ａ1及びＡ2が水素原子、ｎが０である化合物である。
１−ヒドロキシエタン−１，１−ジホスホン酸は、下記式：
2014214404.tif 000012
で表される、一般式（ｃ１）において、Ｙ1が−ＰＯ3Ｍ3Ｍ3’で（式中、Ｍ3及びＭ3’は水素原子）、Ｙ2が−ＰＯ3Ｍ3Ｍ3’で（式中、Ｍ3及びＭ3’は水素原子）、Ａ1がメチル基、Ａ2が水酸基、ｍが０、ｎが０である化合物である。
【００３３】
（ｃ）成分の配合量は、（ｃ）成分の配合効果を得ることができる限り特に制限されないが、（ｃ）成分の配合効果をより高めることができる点で、繊維処理剤組成物の総質量に対して好ましくは０．０００１〜５質量％、より好ましくは０．０１〜３質量％、さらに好ましくは０．１〜２質量％である。０．０００１質量％以上であると繊維処理剤組成物自体の香気劣化をより抑制することができる。５質量％以下であると、繊維処理剤組成物の安定性を高く維持することができる。
【００３４】
なお、繊維製品への抗菌性の付与と、繊維処理剤組成物の香気劣化抑制とを高いレベルで両立することができる点で、（ａ）成分と（ｂ）成分の合計質量に対する（ｃ）成分の質量の比（（ｃ）成分の質量／［（ａ）成分と（ｂ）成分の合計質量］）が1/1〜1/1000であることが好ましく、1/5〜1/100であることがより好ましく、1/10〜1/50であることがさらに好ましい
【００３５】
（ｄ）成分
本発明の繊維処理剤組成物には、任意成分として「（ｄ）糖系化合物」を配合することができる。（ｄ）成分を配合すると、繊維処理剤組成物の香気の経時劣化をより抑制することができる。
好ましい糖系化合物としては、単糖、二糖、オリゴ糖や糖アルコールが挙げられる。
具体的には、グルコース、フルクトース、ガラクトース、アラビノース、リボース、マルトース、イソマルトース、セロビオース、ラクトース、スクロース、トレハロース、タロース、マルトトリオース、イソマルトトリオース及び天然多糖の部分加水分解から得られるオリゴ糖、並びにこれらの糖に置換基を導入した化合物（糖誘導体）が挙げられる。
糖系化合物の糖骨格における繰り返し単位（単糖）の数（重合度）は、１〜４０が望ましく、１〜２０が更に望ましく、１〜５（すなわち、単糖及び重合度が１超５以下のオリゴ糖（例えば、重合度が２のトレハロース））が特に望ましい。
導入可能な置換基としては、アルキル基、アルケニル基、アルコキシル基、ヒドロキシアルキル基、アミン基、４級アンモニウム基や、カルボキシル基等が挙げられる。これらの中でも、特にアルキル基、アルケニル基、アルコキシル基が望ましい。
置換基は、好ましくは炭素数１〜１８のアルキル基もしくはアルケニル基もしくはアルコキシ基であり、より好ましくは炭素数１〜１２のアルキル基もしくはアルケニル基もしくはアルコキシ基であり、特に好ましくは炭素数１〜６のアルキル基であり、最も好ましくは炭素数１〜３のアルキル基である。
（ｄ）成分としては、重合度が１〜５の単糖もしくはオリゴ糖、及び、重合度が１〜５の単糖もしくはオリゴ糖の少なくとも一つの水酸基の水素原子がアルキル基で置換された化合物から選ばれる一種以上が好ましい。
糖アルコールとしては、エリトリトール、トレイトール、ペンチトール、ヘキシトール、ダルシトール、ソルビトール、マンニトール、ボレミトール、ペルセイユトール、キシリトール、マルチトールや、ラクチトール等が挙げられる。これらの中では、ソルビトールが好ましい。
【００３６】
（ｄ）成分は、市場において容易に入手可能であるか、又は、合成可能である。
【００３７】
（ｄ）成分は、１種類を単独で用いてもよく、２種類以上からなる混合物として用いてもよい。
【００３８】
（ｄ）成分の配合量は、（ｄ）成分の配合効果を得ることができる限り特に制限されないが、（ｄ）成分の配合効果をより高めることができる点で、繊維処理剤組成物の総質量に対して好ましくは０．５〜１０質量％、より好ましくは１〜８質量％、さらに好ましくは２〜５質量％である。０．５質量％以上であると繊維処理剤組成物の香気劣化をより抑制することができる。１０質量％以下であると、香気劣化をより抑制しつつ、繊維処理剤組成物の安定性を高く維持することができる。
【００３９】
他の任意成分
本発明の繊維処理剤組成物は、本発明の効果を損なわない範囲で、必要に応じて、上記成分以外の他の成分を含有してもよい。他の任意成分を以下に示す。
【００４０】
染料及び／又は顔料
染料及び／又は顔料は、繊維処理剤組成物の外観を向上する目的で配合することができる。
染料及び顔料としては、当該技術分野で汎用の染料及び顔料を使用可能であり特に限定されないが、好ましくは、酸性染料、直接染料、塩基性染料、反応性染料及び媒染・酸性媒染染料から選ばれる、赤色、青色、黄色もしくは紫色系の水溶性染料の１種以上である。
添加できる染料の具体例は、染料便覧（有機合成化学協会編，昭和４５年７月２０日発行，丸善株式会社）などに記載されている。更に、特開平６−１２３０８１号公報、特開平６−１２３０８２号公報、特開平７−１８５７３号公報、特開平８−２７６６９号公報、特開平９−２５００８５号公報、特開平１０−７７５７６号公報、特開平１１−４３８６５号公報、特開２００１−１８１９７２号公報又は特開２００１−３４８７８４号公報などに記載されている染料を用いることもできる。
繊維処理剤組成物の保存安定性や繊維に対する染着性の観点からは、分子内に水酸基、スルホン酸基、アミノ基及びアミド基から選ばれる少なくとも１種類の官能基を有する酸性染料、直接染料、反応性染料が好ましく、その配合量は組成物全体に対し、好ましくは１〜５０ｐｐｍ、より好ましくは１〜３０ｐｐｍである。
【００４１】
ノニオン界面活性剤
ノニオン界面活性剤は、繊維処理剤組成物の保存安定性を向上させるために配合することができる。
ノニオン界面活性剤とは、一級又は二級アルコールにアルキレンオキシドを付加することにより得られる化合物である。具体的には、炭素数が８〜２０、好ましくは１０〜１４の分岐アルキル基または分岐アルケニル基を有する一級又は二級アルコールに、アルキレンオキシドを平均で５〜１００モル付加させてなる化合物である。
アルキレンオキシドとしては、エチレンオキシドを単独で使用するのが好ましいが、エチレンオキシドとともにプロピレンオキシドを付加してもよい。両者を付加させる場合、付加する順序はいずれが先であってもよい。
アルキレンオキシドの平均付加モル数は、好ましくは２０〜８０モルであり、特に好ましくは２０〜６０モルである。また、プロピレンオキシドをエチレンオキシドとともに付加する場合、プロピレンオキシドの平均付加モル数は１〜５モルとすることができ、好ましくは１〜３モルである。
ノニオン界面活性剤の具体例としては、一級イソトリデシルアルコール（炭素数１３）にエチレンオキシド（ＥＯ）を平均６０モル付加したもの、一級イソトリデシルアルコールにエチレンオキシド（ＥＯ）を平均４０モル付加したものや、アルキル基の炭素数が１２〜１４の直鎖型第２級アルコールにＥＯを平均５０モル付加したもの等が挙げられる。
ノニオン界面活性剤は、例えば、プロピレンあるいはブチレンを原料とし、そのｎ量体（プロピレンの場合は３〜６量体、ブチレンの場合は２〜４量体など）を調製した後、オキソ反応によりアルデヒドとし、水添して得た一級又は二級アルコールに、当業者に知られた通常の方法で酸化アルキレンを付加することにより、調製することができる。
【００４２】
ノニオン界面活性剤は、市場において容易に入手可能であるか、又は、合成可能である。市販品としては、ライオンケミカル（株）より販売されている、商品名：レオコールＴＤＡ−４００−７５（１級イソトリデシルアルコールのＥＯ40モル付加物）、商品名：ＴＡ６００−７５（１級イソトリデシルアルコール（炭素数：１３）のエチレンオキシド（以下、EO）６０モル付加物）や、（株）日本触媒より販売されている商品名：ソフタノール５００（アルキル基の炭素数が１２〜１４の直鎖型第２級アルコールにＥＯを平均５０モル付加したもの）などが挙げられる。
【００４３】
ノニオン界面活性剤の配合量は、繊維処理剤組成物の総質量に対して、好ましくは０．１質量％〜１５質量％、より好ましくは０．５質量％〜１０質量％、最も好ましくは１．０質量％〜７質量％である。０．１質量％〜１５質量％であると、繊維処理剤組成物の保存安定性をより向上させることができる。
【００４４】
防腐剤
防腐剤は、繊維処理剤組成物の長期保存中の防腐性を向上させるために配合することができる。
防腐剤としては当該技術分野で知られているものを使用可能であり特に限定されない。具体的には、イソチアゾロン系の有機硫黄化合物、ベンズイソチアゾロン系の有機硫黄化合物、安息香酸類、アルコール系の２−ブロモ−２−ニトロプロパン−１，３−ジオールや、ヨウ素系化合物などが挙げられる。
イソチアゾロン系の有機硫黄化合物の例としては、５−クロロ−２−メチル−４−イソチアゾリン−３−オン、２−ｎ−ブチル−３−イソチアゾロン、２−ベンジル−３−イソチアゾロン、２−フェニル−３−イソチアゾロン、２−メチル−４，５−ジクロロイソチアゾロン、５−クロロ−２−メチル−３−イソチアゾロン、２−メチル−４−イソチアゾリン−３−オンや、それらの混合物があげられる。具体例としては、Rohm & Haasより販売されている商品名：ケーソンＣＧ−ＩＣＰ等が挙げられる。
ベンズイソチアゾリン系の有機硫黄化合物の例としては、１，２−ベンズイソチアゾリン−３−オンや、２−メチル−４，５−トリメチレン−４−イソチアゾリン−３−オンなどがあげられ、類縁化合物としてジチオ−２，２−ビス（ベンズメチルアミド）なども使用できる。複数種類のベンズイソチアゾリン系の有機硫黄化合物を用いる場合、それらを任意の混合比で使用することができる。
ヨウ素系化合物の例としては、３−ヨード−２−プロピニルＮ−ブチルカルバマートがあげられる。
安息香酸類の例としては、安息香酸又はその塩、パラヒドロキシ安息香酸又はその塩、パラオキシ安息香酸メチル、パラオキシ安息香酸エチル、パラオキシ安息香酸プロピル、パラオキシ安息香酸ブチルや、パラオキシ安息香酸ベンジル等を挙げることができる。
防腐剤の配合量は、繊維処理剤組成物の総質量に対して、好ましくは０．０００１〜１質量％である。０．０００１質量％以上であると防腐剤としての機能を発揮することができる。１質量％以下であると、配合過多による繊維処理剤組成物の保存安定性の低下を抑制することができる。
【００４５】
酸化防止剤
酸化防止剤は、繊維処理剤組成物の香気安定性や色調安定性を向上させるために配合することができる。
酸化防止剤としては、当該技術分野で知られている天然系酸化防止剤、合成系酸化防止剤ともに使用できる。具体的には、２−ブロモ−２−ニトロ−１，３−プロパンジオール、アスコルビン酸、アスコルビン酸パルミテート、没食子酸プロピル、ＢＨＴ（ブチル化ヒドロキシトルエン）、特にジブチルヒドロキシトルエン、ＢＨＡ（ブチル化ヒドロキシアニソール）、没食子酸プロピルとクエン酸との混合物、ハイドロキノン、三級ブチルハイドロキノン、二糖類のトレハロース、天然のトコフェロール系化合物、没食子酸の長鎖エステル（Ｃ8〜Ｃ22）、例えば没食子酸ドデシル、チバスペシャルティケミカル（株）から入手可能なイルガノックス系化合物、クエン酸及び／またはクエン酸イソプロピル、４，５−ジヒドロキシ−ｍ−ベンゼンスルホン酸／ナトリウム塩、ジメトキシフェノール、カテコール、メトキシフェノール、カロチノイド、フラン類、アミノ酸類等が挙げられる。
酸化防止剤の配合量は、繊維処理剤組成物の総質量に対して、好ましくは０．００１〜１質量％である。０．００１質量％以上であると、酸化防止剤としての機能を発揮することができる。１質量％以下であると、配合過多による繊維処理剤組成物の保存安定性の低下を抑制することができる。
【００４６】
香料
香料は、繊維製品の香気を更に高めるために配合することができる。
香料としては、当該技術分野で汎用の香料を使用可能であり特に限定されないが、使用できる香料原料のリストは、様々な文献、例えば「Ｐｅｒｆｕｍｅ ａｎｄ Ｆｌａｖｏｒ Ｃｈｅｍｉｃａｌｓ 」，Ｖｏｌ．Ｉａｎｄ II，Ｓｔｅｆｆｅｎ Ａｒｃｔａｎｄｅｒ，Ａｌｌｕｒｅｄ Ｐｕｂ．Ｃｏ．（１９９４）および「合成香料 化学と商品知識」、印藤元一著、化学工業日報社（１９９６）および「Ｐｅｒｆｕｍｅ ａｎｄ Ｆｌａｖｏｒ Ｍａｔｅｒｉａｌｓ ｏｆ Ｎａｔｕｒａｌ Ｏｒｉｇｉｎ 」，Ｓｔｅｆｆｅｎ Ａｒｃｔａｎｄｅｒ，Ａｌｌｕｒｅｄ Ｐｕｂ．Ｃｏ．（１９９４）および「香りの百科」、日本香料協会編、朝倉書店（１９８９）および「Ｐｅｒｆｕｍｅｒｙ Ｍａｔｅｒｉａｌ Ｐｅｒｆｏｒｍａｎｃｅ Ｖ．３．３」，Ｂｏｅｌｅｎｓ Ａｒｏｍａ Ｃｈｅｍｉｃａｌ Ｉｎｆｏｒｍａｔｉｏｎ Ｓｅｒｖｉｃｅ（１９９６）および「Ｆｌｏｗｅｒ ｏｉｌｓ ａｎｄ Ｆｌｏｒａｌ Ｃｏｍｐｏｕｎｄｓ Ｉｎ Ｐｅｒｆｕｍｅｒｙ」，Ｄａｎｕｔｅ Ｌａｊａｕｊｉｓ Ａｎｏｎｉｓ，Ａｌｌｕｒｅｄ Ｐｕｂ．Ｃｏ．（１９９３）等に記載されている。
香料の配合量は、繊維処理剤組成物の総質量に対して、好ましくは０．１〜５質量％である。
【００４７】
水
本発明の繊維処理剤組成物は、好ましくは水性組成物であり、水を含むことが好ましい。
水としては、水道水、イオン交換水、純水、蒸留水など、いずれも用いることができる。中でもイオン交換水が好適である。
水の配合量は、繊維処理剤組成物の総質量に対して、好ましくは５０質量％以上、より好ましくは６０質量％以上である。５０質量％以上であると、繊維処理剤組成物のハンドリング性がより良好となる。
【００４８】
紫外線吸収剤
紫外線吸収剤は、繊維処理剤組成物の保存安定性を向上させるために配合することができる。
紫外線吸収剤は、紫外線を防御する効果のある薬剤であり、紫外線を吸収し、赤外線や可視光線等に変換して放出する成分である。
紫外線吸収剤としては、当該技術分野で汎用のものを使用可能である。具体例としては、ｐ−アミノ安息香酸、ｐ−アミノ安息香酸エチル、ｐ−アミノ安息香酸グリセリル、ｐ−ジメチルアミノ安息香酸アミル等のアミノ安息香酸誘導体；サリチル酸エチレングリコール、サリチル酸ジプロピレングリコール、サリチル酸オクチル、サリチル酸ミリスチル等のサリチル酸誘導体；ジイソプロピルケイ皮酸メチル、ｐ−メトキシケイ皮酸エチル、ｐ−メトキシケイ皮酸イソプロピル、ｐ−メトキシケイ皮酸−２−エチルヘキシル、ｐ−メトキシケイ皮酸ブチル等のケイ皮酸誘導体；２−ヒドロキシ−４−メトキシベンゾフェノン、２−ヒドロキシ−４−メトキシベンゾフェノン−５−スルホン酸、２、２'−ジヒドロキシ−４−メトキシベンゾフェノン等のベンゾフェノン誘導体；ウロカニン酸、ウロカニン酸エチル等のアゾール系化合物；４−ｔ−ブチル−４'−メトキシベンゾイルメタン等が挙げられる。
【００４９】
前記の任意成分以外にも、繊維処理剤組成物の香気や色調の安定性を向上させるための還元剤、乳濁剤（例えば、ポリスチレンエマルジョン）、不透明剤、縮み防止剤、洗濯じわ防止剤、形状保持剤、ドレープ性保持剤、アイロン性向上剤、酸素漂白防止剤、増白剤、白化剤、布地柔軟化クレイ、帯電防止剤、移染防止剤（例えば、ポリビニルピロリドン）、高分子分散剤、汚れ剥離剤、スカム分散剤、蛍光増白剤（例えば、４，４−ビス（２−スルホスチリル）ビフェニルジナトリウム（チバスペシャルティケミカルズ製チノパールＣＢＳ−Ｘ））、染料固定剤、退色防止剤（例えば、１，４−ビス（３−アミノプロピル）ピペラジン）、染み抜き剤、繊維表面改質剤としての酵素（例えば、セルラーゼ、アミラーゼ、プロテアーゼ、リパーゼ、ケラチナーゼ）、抑泡剤、水分吸放出性など絹の風合い・機能を付与するシルクプロテインパウダー、その表面改質物や乳化分散液（例えば、Ｋ−５０、Ｋ−３０、Ｋ−１０、Ａ−７０５、Ｓ−７０２、Ｌ−７１０、ＦＰシリーズ（出光石油化学）、加水分解シルク液（上毛）、シルクゲンＧソルブルＳ（一丸ファルコス））、汚染防止剤（例えば、アルキレンテレフタレートおよび／またはアルキレンイソフタレート単位とポリオキシアルキレン単位からなる非イオン性高分子化合物（例えば、互応化学工業製ＦＲ６２７、クラリアントジャパン製ＳＲＣ−１）などを適宜配合することができる。
【００５０】
無機又は有機の水溶性塩類
無機又は有機の水溶性塩類は、繊維処理剤組成物の粘度をコントロールする目的で用いることができる。
無機又は有機の水溶性塩類としては、塩化ナトリウム、塩化カリウム、塩化カルシウム、塩化マグネシウムなどの他、硫酸又は硝酸のアルカリ金属塩、ｐ−トルエンスルホン酸、グリコール酸、乳酸などの有機酸のアルカリ金属塩などが挙げられる。好ましくは、塩化カルシウム、塩化マグネシウム又は塩化ナトリウムである。
無機又は有機の水溶性塩類の配合量は、繊維処理剤組成物の総質量に対し０〜３質量％、好ましくは０．０１〜２質量％、より好ましくは０．０５〜１質量％である。無機又は有機の水溶性塩類の添加は組成物製造のどの工程で入れてもよい。
【００５１】
本発明の繊維処理剤組成物のｐＨは特に限定されないが、保存経日に伴う（ｂ）成分の加水分解を抑制する等の観点から、２５℃におけるｐＨが１.０〜６.０の範囲内であることが好ましく、２.０〜４.０の範囲内であることがより好ましい。
ｐＨ調整を行う場合、ｐＨ調整には、塩酸、硫酸、リン酸、アルキル硫酸、安息香酸、パラトルエンスルホン酸、クエン酸、リンゴ酸、コハク酸、乳酸、グリコール酸、ヒドロキシエタンジホスホン酸、フィチン酸等の短鎖アミン化合物（但し、（ｃ）成分に該当するものを除く）、水酸化ナトリウム等のアルカリ金属水酸化物、アルカリ金属炭酸塩、アルカリ金属珪酸塩などのｐＨ調整剤を用いることができる。
【００５２】
繊維処理剤組成物の製造方法
本発明の繊維処理剤組成物は、繊維処理剤組成物の製造に一般的に用いられている種々の方法を用いて製造することができるが、例えば、特開平１０−２３７７６２号公報に記載されている方法を用いることができる。
具体的には、（ｂ）成分、ノニオン界面活性剤（任意）、香料（任意）及びその他の油溶性成分を含む油性混合物を作成し、この油性混合物へ水溶性成分を含む水性混合物を添加して混合し、この混合物へ（ａ）成分及び（ｃ）成分を添加する方法などにより製造することができる。
その他の任意成分は、水溶性の高いものは水性混合物へ、水溶性の低いものは油性混合物に入れることが好ましい。
【００５３】
繊維処理剤組成物の使用方法
本発明の繊維処理剤組成物の使用方法に特に制限はなく、一般の繊維処理剤組成物と同様の方法で使用することができる。例えば、洗濯のすすぎの段階で洗濯水へ本発明の繊維処理剤組成物を溶解させて繊維製品（被洗物）を柔軟仕上げ処理する方法や、本発明の繊維処理剤組成物をたらいのような容器中の水に溶解させ、更に被洗物を入れて浸漬処理する方法がある。
本発明の繊維処理剤組成物は、アニオン界面活性剤含む洗剤を低浴比（例えば、水の質量／繊維製品の質量＝３０／１〜５／１、特に１５／１）で用いて洗浄工程を行い、続くすすぎ工程で用いる洗濯水中にアニオン界面活性剤が残存している場合に、好適に用いることができる。
繊維処理剤組成物の使用量（容量）は、被洗物の質量に対して０．１〜５（ｖ／ｗ）％であることが好ましく、０．３〜２（ｖ／ｗ）％であることがより好ましい。
【実施例】
【００５４】
以下、実施例により本発明を更に詳細に説明するが、本発明はこれに限定されるものではない。尚、実施例において成分配合量はすべて質量％（指定のある場合を除き、純分換算）を示す。
【００５５】
（ａ）成分
（ａ）成分として、下記（Ａ−１）及び（Ａ−２）を用いた。
（Ａ−１）
ライオンアクゾ社より商品名：トリアミンＹ−１２Ｄとして入手した、一般式（ａ１）においてｎが３、Ｒ1が炭素数１２の直鎖アルキル基、Ｒ2が（ＣＨ2）3ＮＨ2（ｍ＝３）である化合物。
（Ａ−２）
ライオンアクゾ社より商品名：デュオミンＣＤとして入手した、一般式（ａ１）においてｎが３、Ｒ1がヤシ油由来（炭素数１２又は１４）の直鎖アルキル基、Ｒ2が水素原子である化合物。
比較例２では、本発明の（ａ）成分に該当しない下記（Ａ’−１）を用いた。
（Ａ’−１）
ライオンアクゾ社より商品名：アーカードＴ−８００として入手した、塩化ステアリルトリメチルアンモニウム。
【００５６】
（ｂ）成分
（ｂ）成分として、下記（Ｂ−１）及び（Ｂ−２）を用いた。
（Ｂ−１）
特開２００３−１２４７１号公報の実施例４に記載の手順に従って合成したカチオン性界面活性剤。（Ｂ−１）は、一般式（ｂ−IV）、（ｂ−ｖ）及び（ｂ−VI）で表される各化合物（各式中、Ｒ3は炭素数１５又は１７のアルキル基及びアルケニル基であり、不飽和部分のシス体／トランス体＝７５／２５（質量比）である）をジメチル硫酸で４級化したものを含む組成物であった。
（Ｂ−２）
特開２００２−１６７３６６号公報の実施例１に記載の手順に従って合成したカチオン界面活性剤。（Ｂ−２）は、一般式（ｂ−IV）、（ｂ−ｖ）及び（ｂ−VI）で表される各化合物（各式中、Ｒ3は、炭素数１５〜１７のアルキル基及びアルケニル基であり、不飽和部分のシス体／トランス体＝４５／５５（質量比）である）をジメチル硫酸で４級化したものを含む組成物であった。
【００５７】
（ｃ）成分
（ｃ）成分として、下記（Ｃ−１）〜（Ｃ−３）を用いた。
（Ｃ−１）
ＢＡＳＦ社より商品名：トリロンＭとして入手した、メチルグリシンジ酢酸３ナトリウム。（Ｃ−１）は、一般式（ｃ１）において、Ｙ1が式（ｃ２）（式中、Ｙ3及びＹ4は−ＣＨ2ＣＯＯＭ1（式中、Ｍ1はナトリウム）、ｍが０、Ａ1がメチル基、Ａ2が水素原子、Ｙ2が−ＣＯＯＭ4（式中、Ｍ4はナトリウム）、ｎが０である化合物であった。
（Ｃ−２）
キレスト株式会社より商品名：キレストＡとして入手した、エチレンジアミン四酢酸。（Ｃ−２）は、一般式（ｃ１）において、Ｙ1が（ｃ２）（式中、Ｙ3及びＹ4は−ＣＨ2ＣＯＯＭ1（式中、Ｍ1は水素原子））、Ｙ2が（ｃ２）（式中、Ｙ3及びＹ4は−ＣＨ2ＣＯＯＭ1（式中、Ｍ1は水素原子））、ｍが１、Ａ1及びＡ2が水素原子、ｎが０である化合物であった。
（Ｃ−３）
キレスト株式会社より商品名：キレストPH-210として入手した、１−ヒドロキシエタン−１，１−ジホスホン酸。（Ｃ−３）は、一般式（ｃ１）において、Ｙ1が−ＰＯ3Ｍ3Ｍ3’で（式中、Ｍ3及びＭ3’は水素原子）、Ｙ2が−ＰＯ3Ｍ3Ｍ3’で（式中、Ｍ3及びＭ3’は水素原子）、Ａ1がメチル基、Ａ2が水酸基、ｍが０、ｎが０である化合物であった。
【００５８】
（ｄ）成分
（ｄ）成分として、下記（Ｄ−１）及び（Ｄ−２）を用いた。
（Ｄ−１）
株式会社林原より入手したトレハロース。
（Ｄ−２）
東京化成工業株式会社より入手したソルビトール。
【００５９】
染料
染料として、下記のいずれかを用いた。
住友化学工業より商品名：Sumilight Supra Turquoise blue G conc.として入手した、C. I .Direct Blue 86。
日本化薬より商品名：カヤノールミーリングレッドBWとして入手した、C. I .Acid Red 138。
【００６０】
ノニオン界面活性剤
ノニオン界面活性剤として下記のいずれかを用いた。
1級イソトリデシルアルコールのエチレンオキシド（以下、EO）60モル付加物。このノニオン界面活性剤は、以下の合成法に従い合成した。イソトリデシルアルコール（ＢＡＳＦ社製「ルテンゾールＴＯ３」）１１５ｇと、触媒として４０％ＫＯＨ１．２５ｇとを耐圧製反応容器に仕込み、常法により容器内を窒素置換した。触媒中を１００℃、２．４〜２．７ｋＰａ以下で３０分脱水してから温度を１４０℃まで昇温した。撹拌しながら０．２５ＭＰａ以下でエチレンオキシド８６７．８ｇを付加反応させ、付加反応終了後、圧力が平衡になるまで熟成した。次に、温度６０℃以下まで冷却し、精製水２４９ｇを添加後、８０％酢酸０．３７ｇを添加し、３０分間分散させた。
（株）日本触媒より商品名：ソフタノール５００として入手した、アルキル基の炭素数が１２〜１４の直鎖型第２級アルコールのＥＯ５０モル付加物。
【００６１】
防腐剤
防腐剤として下記のいずれかを用いた。
Rohm & Haasより商品名：ケーソンCG/ICPとして入手した、イソチアゾロン液。
ロンザジャパン（株）より商品名：グライカシルとして入手した、３−ヨード−２−プロピニルＮ−ブチルカルバマート。
【００６２】
酸化防止剤
BASFより商品名：Protecol BNとして入手した、２−ブロモ−２−ニトロ−１，３−プロパンジオール。
【００６３】
香料
下記の組成を有する香料組成物Ａ及び香料組成物Ｂを用いた。
2014214404.tif 000013
【００６４】
繊維処理剤組成物の調製方法
後述の表１に示す組成を有する実施例１〜１３及び比較例１〜４の繊維処理剤組成物を以下の手順に従って調製した。表１中、（Ａ）〜（Ｄ）成分の数値の単位は、繊維処理剤組成物の総質量に対する質量％である。
なお、各繊維処理剤組成物には共通成分（ｅ）として（Ｅ−１）又は（Ｅ−２）を配合した。実施例１〜７及び比較例１〜２には（Ｅ−１）を配合し、実施例８〜１３及び比較例３〜４には（Ｅ−２）を配合した。（Ｅ−１）及び（Ｅ−２）に含まれる各成分の配合量（繊維処理剤組成物の総質量に対する質量％）は以下の通りであった。
（Ｅ−１）
2014214404.tif 000014
（Ｅ−２）
2014214404.tif 000015
【００６５】
実施例及び比較例の各繊維処理剤組成物は、内径１００ｍｍ、高さ１５０ｍｍのガラス容器と、攪拌機（アジターＳＪ型、島津製作所製）とを用いて、次の手順により調製した。まず、（b）成分と（e）成分中のノニオン界面活性剤及び香料を混合攪拌して、油相混合物を得た。一方、 (e)成分の残りの成分と（d）成分とをバランス用イオン交換水に溶解させて水相混合物を得た。ここで、バランス用イオン交換水の質量は、９９０ｇから油相混合物と（a）成分と（c）成分と(e)成分との合計質量を差し引いた残部に相当した。次に、（b）成分の融点以上に加温した油相混合物をガラス容器に収納して攪拌しながら、（b）成分の融点以上に加温した水相混合物を２度に分割して添加し、攪拌した。ここで、水相混合物の分割比率は３０：７０（質量比）とし、攪拌は回転速度１，０００ｒｐｍで、１回目の水相混合物添加後に３分間、２回目の水相混合物添加後に２分間行った。しかる後、（a）成分、（c）成分を添加し、攪拌した。必要に応じて、塩酸（試薬１ｍｏｌ／Ｌ、関東化学）、または水酸化ナトリウム（試薬１ｍｏｌ／Ｌ、関東化学）を適量添加してｐＨ２．５に調整し、更に全体質量が１，０００ｇになるようにイオン交換水を添加して、目的の繊維処理剤組成物を得た。
【００６６】
調製した各繊維処理剤組成物について、繊維製品への抗菌性付与効果と香気の経時変化について評価した。
【００６７】
抗菌性付与効果の評価
１．試験布の準備
市販の綿メリヤス布（日清紡社製、商品名「ＣＫ４３２０２」、谷頭商店より購入）を、アニオン界面活性剤含む市販洗剤「消臭 ブルーダイヤ」（ライオン社製）により二槽式洗濯機（三菱電機製CW-C30A1-H）を用いて３回前処理を行なった（洗剤標準使用量：浴比３０倍。４５℃の水道水。１０分間の洗浄後、１０分間の注水すすぎ２回）。
前処理を行った綿メリヤス布を、市販洗剤（消臭 ブルーダイヤ、ライオン製）により二槽式洗濯機（三菱電機製CW-C30A1-H）を用いて洗浄処理（洗剤標準使用量：浴比１５倍。２５℃の水道水。１５分間）し、次いで２回のためすすぎ処理を行った。２回目のためすすぎ時に、ＬＡＳ（直鎖アルキル（炭素数１０〜１４）ベンゼンスルホン酸。ライオン株式会社製、商品名「ライポンＬＨ−２００」（ＬＡＳ−Ｈ  純分９６質量％））をすすぎ液中に10ppmになるように添加し、攪拌の後、１０ｍLの各繊維処理剤組成物（被洗物の質量に対して０．７（ｖ／ｗ）％）を加えて柔軟仕上げ処理（浴比１５倍。２５℃水道水。３分間）を施した。
柔軟仕上げ処理後、綿メリヤス布を相対湿度６５％ＲＨの恒温恒湿室に放置して乾燥させた。乾燥後、該綿メリヤス布を５ｃｍ×５ｃｍの大きさに切り分け、これを試験布として抗菌性付与効果の評価に用いた。
また、未処理布として、前記繊維処理剤組成物による処理を施していない綿メリヤス布を用いた。
２．黄色ブドウ球菌に対する試験布の抗菌性の評価
本評価に用いた器具や水などは、予めオートクレーブにより滅菌処理を施したものであった。また、本評価では、菌として黄色ブドウ球菌（Ｓｔａｐｈｙｌｏｃｏｃｃｕｓ  ａｕｒｅｕｓ）を用いた。
ＪＩＳ  Ｌ１９０２に基づいて培養を行った黄色ブドウ球菌を、ニュートリエント培地で２０倍に希釈して、菌数が１±０．３×１０5個／ｍＬの黄色ブドウ球菌母液を調製した。
前記試験布（５ｃｍ×５ｃｍ）の４箇所に、それぞれ前記黄色ブドウ球菌母液０．１ｍＬを接種した後、３７℃の恒温槽にて１８時間保持した。保持後、抽出液（ＪＩＳ  Ｌ１９０２に記載の洗い出し用生理食塩水）を用いて試験布から菌を抽出し、その抽出液を生理食塩水によって１０倍に希釈した。得られた希釈液をさらに１０倍に希釈する操作を４回繰り返し、１０００００倍の希釈液を得た。なお、「洗い出し用生理食塩水」とは、精製水１０００ｍＬに対し、塩化ナトリウム８．５ｇを採取し、これらをフラスコに入れて充分に溶解させ、さらに非イオン界面活性剤としてポリオキシエチレンソルビタンモノオレート（関東化学社製、商品名「ポリソルベート８０  Ｔｗｅｅｎ８０」）２ｇを加えて溶解させた後、高圧蒸気殺菌（オートクレーブ処理）したものであった。
得られた１０００００倍の希釈液から１００μＬを採取し、標準寒天培地（アテクト社製）上に滴下し、コンラージ棒により均一に塗布した後、３７℃の恒温槽内で１〜２日間培養した後、コロニー数をカウントし、生菌数を求めた。
未処理布についても試験布と同様の操作を行って生菌数を測定した。
これらの測定値を用いて、実施例１〜１３及び比較例１〜４の各繊維処理剤組成物の抗菌活性値を、下記式（ｉ）より算出した。
抗菌活性値＝ｌｏｇ10（未処理布の生菌数／試験布の生菌数）・・・（ｉ）
次に、実施例１〜１３及び比較例１〜３の各繊維処理剤組成物の抗菌活性値（抗菌活性値（Ａ））と、比較例４の繊維処理剤組成物の抗菌活性値（抗菌活性値（Ｂ））との差（抗菌活性値（Ａ）−抗菌活性値（Ｂ））を求め、下記基準により抗菌性付与効果の評価を行った。◎及び○を合格判定とした。
＜評価基準＞
◎：抗菌活性値の差が２．０桁以上
○：抗菌活性値の差が１．０桁以上〜２．０桁未満
△：抗菌活性値の差が１．０桁未満
【００６８】
繊維処理剤組成物の香気評価
各繊維処理剤組成物を、軽量ＰＳガラスビン（ＰＳ−Ｎｏ．１１。田沼硝子工業所製）に１００ｍＬ入れて密栓し、５０℃条件下で４週間保管した。
保管前後の各繊維処理剤組成物の香気を、下記の評価基準に基づいて専門パネラー１０人により評価した。なお、保管前の香気の評価では保管前の比較例１を対照とし、保管後の香気の評価では保管後の比較例１を対照とした。各パネラーの評価は、５段階（１点〜５点）であった。各繊維処理剤組成物について、１０人のパネラーによる評価点の平均を求め、下記基準に基づいて評価とした。商品価値上、◎及び○を合格とした。
＜評価基準＞
◎：対照よりもはっきりと良好である（平均点：４．５以上５．０以下）
○：対照よりもやや良好である（平均点：４．０以上４．５未満）
△：対照とほぼ同じである（平均点：３．０以上４．０未満）
×：対照の方がやや良好である（平均点：２．０以上３．０未満）
××：対照の方がはっきりと良好である（平均点：１．０以上２．０未満）
【表１】
2014214404.tif 000016
【産業上の利用可能性】
【００６９】
本発明は、繊維処理剤分野において利用可能である。